(57)【特許請求の範囲】
【請求項１】
別体に形成され、背面側が斜め方向に切り欠かれた一対の断面略半円形状の挟持体を向かい合わせて、正面側に釣糸を挿入させる挟持溝が形成され、背面側に当該挟持溝を開閉させる断面略Ｖ字状の開口部が開口する略球状の重り本体を形成するとともに、
両挟持体間に、前記挟持溝を閉じる方向に付勢する付勢部材を取り付け、
前記挟持溝と開口部との間に、一方の挟持体側に形成された断面半円状の凹部と、他方の挟持体側に形成され、前記凹部に回動自在に嵌合する断面半円状の凸部とからなる両挟持体の回動支点部を設けたことを特徴とする釣り用重り。
【請求項２】
別体に形成され、背面側が斜め方向に切り欠かれた一対の断面略半円形状の挟持体を向かい合わせて、正面側に釣糸を挿入させる挟持溝が形成され、背面側に当該挟持溝を開閉させる断面略Ｖ字状の開口部が開口する略球状の重り本体を形成するとともに、
両挟持体間に、前記挟持溝を閉じる方向に付勢する付勢部材を取り付け、
前記挟持溝と開口部との間に、両挟持体に対向して形成された断面半円状の凹部と、両凹部内に配置された回動支軸とからなる両挟持体の回動支点部を設けたことを特徴とする釣り用重り。
【請求項３】
別体に形成され、背面側が斜め方向に切り欠かれた一対の断面略半円形状の挟持体を向かい合わせて、正面側に釣糸を挿入させる挟持溝が形成され、背面側に当該挟持溝を開閉させる断面略Ｖ字状の開口部が開口する略球状の重り本体を形成するとともに、
両挟持体間に、前記挟持溝を閉じる方向に付勢する付勢部材を取り付け、
前記挟持溝と開口部との間の、開口部の開閉時に当接する両挟持体の接合端部を夫々アール状に形成して、当該両接合端部を両挟持体の回動支点部としたことを特徴とする釣り用重り。
【請求項４】
別体に形成され、背面側が斜め方向に切り欠かれた一対の断面略半円形状の挟持体を向かい合わせて、正面側に釣糸を挿入させる挟持溝が形成され、背面側に当該挟持溝を開閉させる断面略Ｖ字状の開口部が開口する略球状の重り本体を形成するとともに、
前記挟持溝と開口部との間の両挟持体間に、前記挟持溝を閉じる方向に付勢するねじりコイルバネを挿着し、当該ねじりコイルバネを両挟持体の回動支点部としたことを特徴とする釣り用重り。
【発明の詳細な説明】
【技術分野】
【０００１】
本発明は釣糸等に取り付ける釣り用重りに係り、詳しくは、従来、「かみつぶし重り」と称される釣り用重りの改良に関する。
【背景技術】
【０００２】
従来、釣糸等に取り付ける釣り用重りとして、「かみつぶし重り」と称される釣り用重りが知られており、略球状の鉛玉等からなる重りに断面が略Ｖ字状の挟持溝（割溝）を設け、この挟持溝に釣糸を挿入し、ペンチ等で重りを挟んでこの挟持溝を閉じることで、釣糸の途中に係止する構造となっている。
しかし、この重りは、一度閉じてしまうとなかなか挟持溝を開くことができず、また、開くことができても重りが変形したり重りにひびが生じる等、開閉操作で重りの閉じ力がなくなって繰り返しの開閉ができなくなる不具合が指摘されていた。
【０００３】
そこで、特許文献１には、前記挟持溝を閉じるのに大きな力を必要とせず、また、挟持溝を閉じた後、この挟持溝を容易に開くことができるように、挟持溝の背面側にスリットを設けた重りが開示されている。
また、特許文献２には、重りの外周縁に切欠円形状のバネを挟持溝と直交する角度に装着して、挟持溝をそのバネ力で閉じるようにした重りが開示されている。
【０００４】
而して、特許文献１の従来例によれば、挟持溝を閉じて釣糸に重りを係止した状態でスリットが開いた状態になるため、スリットの両側に力を作用させてスリットを閉じれば、挟持溝が開いて釣糸を重りから簡単に取り外すことができ、また、特許文献２の従来例にあっては、バネによって釣糸を強固に挟持して重りの脱落防止が図れる利点を有する。
【特許文献１】特開２００５−２２９９４０号公報
【特許文献２】実公平４−５５５１１号公報
【発明の開示】
【発明が解決しようとする課題】
【０００５】
しかし乍ら、特許文献１に開示された重りは、挟持溝の背面側にスリットを設けた結果、閉じた挟持溝を容易に開くことができる反面、長期に亘る使用で重りが変形したり重りにひびが生じる等、依然として従来と同様の課題が残されている。
一方、特許文献２に開示された重りは、挟持溝をバネで閉じるだけでバネ力に抗して挟持溝を開くことが難しく、バネを外さなければ挟持溝を開くことができず、また、挟持溝を開いた状態を維持できないため、釣糸の取付けや取り外し操作が面倒であるのが実情であった。
【０００６】
本発明は斯かる実情に鑑み案出されたもので、繰り返しの使用が可能で、また、釣糸への取付けや取り外しが容易に行える釣り用重りを提供することを目的とする。
【課題を解決するための手段】
【０００７】
斯かる目的を達成するため、請求項１に係る釣り用重りは、別体に形成され、背面側が斜め方向に切り欠かれた一対の断面略半円形状の挟持体を向かい合わせて、正面側に釣糸を挿入させる挟持溝が形成され、背面側に当該挟持溝を開閉させる断面略Ｖ字状の開口部が開口する略球状の重り本体を形成するとともに、両挟持体間に、前記挟持溝を閉じる方向に付勢する付勢部材を取り付け、前記挟持溝と開口部との間に、一方の挟持体側に形成された断面半円状の凹部と、他方の挟持体側に形成され、前記凹部に回動自在に嵌合する断面半円状の凸部とからなる両挟持体の回動支点部を設けたことを特徴とする。
そして、請求項２に係る釣り用重りは、別体に形成され、背面側が斜め方向に切り欠かれた一対の断面略半円形状の挟持体を向かい合わせて、正面側に釣糸を挿入させる挟持溝が形成され、背面側に当該挟持溝を開閉させる断面略Ｖ字状の開口部が開口する略球状の重り本体を形成するとともに、両挟持体間に、前記挟持溝を閉じる方向に付勢する付勢部材を取り付け、前記挟持溝と開口部との間に、両挟持体に対向して形成された断面半円状の凹部と、両凹部内に配置された回動支軸とからなる両挟持体の回動支点部を設けたことを特徴とする。
【０００８】
また、請求項３に係る釣り用重りは、別体に形成され、背面側が斜め方向に切り欠かれた一対の断面略半円形状の挟持体を向かい合わせて、正面側に釣糸を挿入させる挟持溝が形成され、背面側に当該挟持溝を開閉させる断面略Ｖ字状の開口部が開口する略球状の重り本体を形成するとともに、両挟持体間に、前記挟持溝を閉じる方向に付勢する付勢部材を取り付け、前記挟持溝と開口部との間の、開口部の開閉時に当接する両挟持体の接合端部を夫々アール状に形成して、当該両接合端部を両挟持体の回動支点部としたことを特徴とする。
更に、請求項４に係る釣り用重りは、別体に形成され、背面側が斜め方向に切り欠かれた一対の断面略半円形状の挟持体を向かい合わせて、正面側に釣糸を挿入させる挟持溝が形成され、背面側に当該挟持溝を開閉させる断面略Ｖ字状の開口部が開口する略球状の重り本体を形成するとともに、前記挟持溝と開口部との間の両挟持体間に、前記挟持溝を閉じる方向に付勢するねじりコイルバネを挿着し、当該ねじりコイルバネを両挟持体の回動支点部としたことを特徴とする。
【発明の効果】
【０００９】
各請求項に係る発明によれば、従来に比し繰り返し使用することができると共に、釣糸への取り付けと取り外しが片手で容易にできる利点を有する。
また、一対の挟持体を別体に形成し、これらを回動支点部を中心に回動可能に連結して重り本体を形成したので、長期に亘る使用で重り本体が疲労することがなく、長期に亘って繰り返しの使用が可能である。
【発明を実施するための最良の形態】
【００１０】
以下、本発明の実施形態を図面に基づいて詳細に説明する。
図１及び図２は請求項１の一実施形態に係る釣り用重り（かみつぶし重り）を示し、図中、１１-2，１３-2は鉄，ステンレス，真鍮，銅，タングステン，錫，ビスマスまたはこれらの合金等を用いて別体に製造された一対の断面略半円形状の挟持体１１-2，１３-2で、図示するようにこれらを向かい合わせて、釣り用重り３-2の球状の重り本体が形成されている。尚、本願にいう略球状には、紡錘形等の形状のものを含む。
そして、重り本体１-2の正面側に、釣糸５を挟持するための幅狭なスリット状の挟持溝（割溝）７が、重り本体１-2の上下方向に亘って両挟持体１１-2間に形成されている。
【００１１】
一方、図１に示すように断面略半円形状に形成された両挟持体１１-2、１３-2の背面側は斜め方向に切り欠かれており、両挟持体１１-2、１３-2を向かい合わせると、重り本体１-2の背面側に、前記挟持溝７を開閉するための開口部９が、重り本体-2の上下方向に亘って両挟持体１１-2間に断面Ｖ字状に形成されるようになっている。
そして、挟持溝７と開口部９の間に、一方の挟持体１１-2の上下方向に亘って設けた断面半円状の凹部３１内に、他方の挟持体１３-2の上下方向に亘って突設した断面半円状の凸部３３が回動自在に嵌合して回動支点部３５が形成されており、当該回動支点部３５は、挟持溝７を開閉する方向に両挟持体１１-2，１３-を回動させる支点となる部分である。
【００１２】
また、開口部９近傍の左右両側には、開口部９を閉じる際に指１７を掛ける複数の突起状のツマミ１９が上下に設けられており、斯かるツマミ１９を利用して開口部９の両側を容易に片手で押圧でき、片手で挟持溝７の開く操作と閉じる操作の両方ができるようになっている。
【００１３】
更に、重り本体１-2（両挟持体１１-2、１３-2）の外周に沿って前記開口部９と交差する方向に溝２１が設けられている。そして、当該溝２１に、ステンレスやニッケル，チタン合金等のバネ鋼からなる平面視略Ｃ字状のリング部材２３が嵌着されており、リング部材２３の両端部２５は内方へ折曲されて、挟持溝７近傍の重り本体１-2（両挟持体１１-2、１３-2）に設けられた左右の係止孔２７に係止されている。
このリング部材２３は、挟持溝７が閉じる方向に両挟持体１１-2、１３-2を押圧する付勢部材として機能し、図２に示すようにツマミ１９に指１７を掛け、リング部材２３のバネ力に抗して開口部９の両側を矢印方向へ押圧して開口部９を閉じると、回動支点部３５を支点として挟持溝７が開き、斯かる状態で指１７をツマミ１９から離す等して開口部９を閉じる力を解除すると、リング部材２３の復元力で挟持溝７が回動支点部３５を支点として閉じるようになっている。
【００１４】
尚、図示しないが複数のツマミ１７はリング部材２３の上下に配され、その中間にリング部材２３が架け渡されている。
本実施形態はこのように構成されているから、釣り用重り３-2を釣糸５に取り付けるには、図２に示すようにツマミ１９に指１７を掛けて、リング部材２３のバネ力に抗して開口部９の両側を矢印方向へ押圧すれば、回動支点部３５を中心に両挟持体１１-2、１３-2が同方向へ回動して開口部９が閉じられ、これに連動して挟持溝７が片手で簡単に開く。そして、指１７で開口部９の両側を押圧している間、挟持溝７を開いた状態に維持できる。
【００１５】
而して、この状態で挟持溝７内に釣糸５を挿入した後、指１７をツマミ１９から離す等して開口部９を閉じる力を解除すれば、リング部材２３の復元力で両挟持体１１-2、１３-2が回動支点部３５を中心に逆方向へ回動して挟持溝７が閉じ、両挟持体１１-2、１３-2で釣糸５が挟持溝７内に挟持されて釣り用重り３-2が釣糸５に取り付くこととなる。
【００１６】
また、例えば釣糸５に対する釣り用重り３-2の取付位置を変える必要があったり、他の仕掛け等に取り付けるために釣糸５から釣り用重り３-2を取り外すには、再び、図２の如くツマミ１９に指１７を掛け、リング部材２３のバネ力に抗して開口部９の両側を矢印方向へ押圧して開口部９を閉じれば、挟持溝７が開いて釣糸５から釣り用重り３-2を簡単に取り外すことができる。
【００１７】
この後、指１７をツマミ１９から離せば、リング部材２３の復元力で挟持溝７が閉じ、これを例えば他の仕掛けに取り付けるには、再度、図２の如くツマミ１９に指１７を掛けて、以下、同様の手順を繰り返せばよい。
そして、これらの場合に於ても、回動支点部３５が挟持溝７を開閉する方向に両挟持体１１-2，１３-を回動させる支点となる。
【００１８】
このように本実施形態に係る釣り用重り３-2によれば、特許文献１の従来例に比し繰り返し釣糸５の挟持と釣糸５からの取り外しができ、また、特許文献２の従来例に比し極めて容易に釣糸５への取り付けと取り外しが片手でできる利点を有する。
また、本実施形態は、一対の挟持体１１-2，１３-2を別体に形成してこれらを回動支点部３５を中心に回動可能としたので、特許文献１の従来例に比し長期に亘る使用で重り本体１-2が金属疲労することがなく、長期に亘って繰り返しの使用が可能であるとともに、回動支点部３５を中心に両挟持体１１-2、１３-2が回動するため、両挟持体１１-2、１３-2の動作がスムーズ且つスピーディである利点を有する。
【００２６】
図３及び図４は請求項２の一実施形態に係る釣り用重りを示し、本実施形態は、前記挟持体１１-2、１３-2と同様、背面側が斜め方向に切り欠かれた一対の断面略半円形状の挟持体１１-3，１３-3を、前記挟持体１１-2，１３-2と同一材料で別体に形成してこれらを向かい合わることで、正面側に挟持溝７が開口し、背面側に開口部９が開口する釣り用重り３-3の球状の重り本体１-3を形成している。
そして、挟持溝７と開口部９の間に、両挟持体１１-3，１３-3の上下方向に亘って断面半円状の凹部３７，３９を設けると共に、両凹部３７，３９内に１本の丸棒状の回動支軸４１を介在させて、両挟持体１１-3、１３-3の回動支点部４３を形成したものである。
【００２７】
尚、その他の構成は図１の実施形態と同様であるので、同一のものには同一符号を付してそれらの説明は省略する。
本実施形態に係る釣り用重り３-3はこのように構成されており、当該釣り用重り３-3によっても、図１の釣り用重り３-2と同様、容易に釣糸への取り付けと取り外しが片手でできると共に、一対の挟持体１１-3，１３-3を別体に形成してこれらを回動支点部４３を中心に回動可能としたので、長期に亘る使用で重り本体１-3が疲労することがなく、長期に亘って繰り返しの使用が可能である。
【００２８】
図５及び図６は請求項３の第一実施形態を示し、本実施形態も、背面側が斜め方向に切り欠かれた一対の断面略半円形状の挟持体１１-4，１３-4を、前記挟持体１１-2，１３-2と同一材料で別体に形成してこれらを向かい合わることで、正面側に閉じられた挟持溝７が形成され、背面側に開口部９が開口する釣り用重り３-4の球状の重り本体１-4を形成している。
そして、開口部９の開閉時に当接する両挟持体１１-4，１３-4の接合端部４５，４７は、夫々、アール状に形成されており、両挟持体１１-4，１３-4の互いの位置は、接合端部４５，４７が当接し乍ら挟持溝７が開閉する方向に回動するように変位し、本実施形態は斯かる接合端部４５，４７で両挟持体１１-4，１３-4の回動支点部４９を形成している。
【００２９】
また、図７及び図８は請求項３の第二実施形態を示し、本実施形態は、背面側が斜め方向に切り欠かれた一対の断面略半円形状の挟持体１１-5，１３-5を前記挟持体１１-4，１３-4と同一材料で別体に形成してこれらを向かい合わることで、正面側に閉じられた挟持溝７が形成され、背面側に開口部９が開口する釣り用重り３-5の球状の重り本体１-5を形成している。
そして、本実施形態も、開口部９の開閉時に当接する両挟持体１１-5，１３-5の接合端部５１，５３を夫々アール状に形成して、両接合端部５１，５３で回動支点部５５を形成しているが、本実施形態は、図５のリング部材２３に代え、回動支点部５５近傍の両挟持体１１-5，１３-5にバネ鋼からなる１枚の板バネ５７を埋設して、これを挟持溝７が閉じる方向に挟持体１１-5，１３-5を押圧する付勢部材としたものである。
【００３０】
更に、図９及び図１０は請求項４の一実施形態を示し、本実施形態は、背面側が斜め方向に切り欠かれた一対の断面略半円形状の挟持体１１-6，１３-6を、１つのねじりコイルバネ５９を用いて向かい合わせて連結することで、正面側に挟持溝７が開口し、背面側に開口部９が開口する釣り用重り３-6の球状の重り本体１-6を形成したもので、本実施形態では、開口部９の開閉時に両挟持体１１-6，１３-6は当接せず、前記ねじりコイルバネ５９が両挟持体１１-6、１３-6の回動支点部として機能するようになっている。
【００３１】
尚、図５乃至図１０の各実施形態に於て、その他の構成は図１の実施形態と同様であるため、同一のものには同一符号を付してそれらの説明は省略する。
而して、これらの各実施形態によっても、図１の実施形態と同様、所期の目的を達成することが可能で、容易に釣糸への取り付けと取り外しが片手でできると共に、一対の各挟持体１１-4，１１-5，１１-6，１３-4，１３-5，１３-6を別体に形成してこれらを回動支点部４９，５５，ねじりコイルバネ５９を中心に回動可能としたので、長期に亘る使用で重り本体１-4，１-5，１-6が疲労することがなく、長期に亘って繰り返しの使用が可能である。
【図面の簡単な説明】
【００３６】
【図１】請求項１の一実施形態に係る釣り用重りの断面図である。
【図２】釣糸への取付けまたは釣糸からの取外し方法を示す釣り用重りの断面図である。
【図３】請求項２の一実施形態に係る釣り用重りの断面図である。
【図４】釣糸への取付けまたは釣糸からの取外し方法を示す釣り用重りの断面図である。
【図５】請求項３の第一実施形態に係る釣り用重りの断面図である。
【図６】釣糸への取付けまたは釣糸からの取外し方法を示す釣り用重りの断面図である。
【図７】請求項３の第二実施形態に係る釣り用重りの断面図である。
【図８】釣糸への取付けまたは釣糸からの取外し方法を示す釣り用重りの断面図である。
【図９】請求項４の一実施形態に係る釣り用重りの断面図である。
【図１０】釣糸への取付けまたは釣糸からの取外し方法を示す釣り用重りの断面図である。
【符号の説明】
【００３７】
１-2，１-3，１-4，１-5，１-6，１-7  重り本体
３-2，３-3，３-4，３-5，３-6，３-7  釣り用重り
５  釣糸
７  挟持溝
９  開口部
１１-2，１１-3，１１-4，１１-5，１１-6，１１-7，１３，１３-1，１３-2，１３-3，１３-4，１３-5，１３-6，１３-7  挟持体
３５，４３，４９，５５  回動支点部
１９  ツマミ
２３  リング部材
２９  弾性体
４１  回動支軸
５７  板バネ
５９  ねじりコイルバネ
【図１】
0004855114.tif 000002
【図２】
0004855114.tif 000003
【図３】
0004855114.tif 000004
【図４】
0004855114.tif 000005
【図５】
0004855114.tif 000006
【図６】
0004855114.tif 000007
【図７】
0004855114.tif 000008
【図８】
0004855114.tif 000009
【図９】
0004855114.tif 000010
【図１０】
0004855114.tif 000011